(57)【特許請求の範囲】
【請求項１】
走行装置（２）の上方の一側に脱穀装置（３）を設け、他側にグレンタンク（５）を設け、脱穀装置（３）の扱胴（１０）の前面よりも前側の扱胴軸（２１）には後方の扱室（１１）へ送風する送風ファン（２０）を設けた脱穀装置。
【請求項２】
請求項１において、送風ファン（２０）は、扱胴（１０）にエンジンの回転を伝達する扱胴駆動ギヤボックス（２２）と扱胴（１０）の前面との間に設けた脱穀装置。
【請求項３】
請求項２において、送風ファン（２０）の径は、扱胴（１０）の外径よりも大きく形成した脱穀装置。
【請求項４】
請求項１〜請求項３において、扱胴送風ファン（２０）は、少なくとも、前後方向の棒形状に形成されている扱歯支持部材（３３）に扱歯（３４）を長さ方向に複数並設し、この扱歯支持部材（３３）を扱胴軸（２１）の回転方向に複数並設し、回転方向に複数並設した扱歯支持部材（３３）の内側に所定空間（３５）を設け、前記扱歯支持部材（３３）の内側に回転ドラム（３６）を設けて構成し、扱胴（１０）の円錐部（３０）の先端面に開口部（３７）を設けた脱穀装置。
【請求項５】
請求項４において、前記回転ドラム（３６）の外周の所定位置には、側部開口部（３９）を設けた脱穀装置。
【請求項６】
請求項５において、扱胴（１０）の回転ドラム（３６）の前後を貫通する扱胴軸（２１）に風向ガイド（４０）を複数並設した脱穀装置。
【請求項７】
請求項５または請求項６において、回転ドラム（３６）の複数の側部開口部（３９）のうちの、一部または全部の側部開口部（３９）には風向ガイド（４５）を設けた脱穀装置。
【請求項８】
請求項１〜請求項７において、送風ファン（２０）の周囲を包囲するファンカバー（５５）を設け、ファンカバー（５５）の少なくとも前面部分にはネット（２８）を設けた脱穀装置。
【発明の詳細な説明】
【技術分野】
【０００１】
本発明は、脱穀装置に係るものである。
【背景技術】
【０００２】
従来、脱穀装置の扱胴を、前後方向の棒形状に形成されている扱歯支持部材に扱歯を長さ方向に複数並設し、この扱歯支持部材を扱胴軸の回転方向に複数並設し、回転方向に複数並設した扱歯支持部材の内側に所定空間を設けて構成し、扱胴軸に起風用の羽根体を設けた構成が開示され、公知である（特許文献１）。
【先行技術文献】
【特許文献】
【０００３】
【特許文献１】特開２０１０−２２０５６３号公報
【発明の概要】
【発明が解決しようとする課題】
【０００４】
前記公知例では、単に、扱胴軸に羽根体を設けているので、扱胴内を後側に向けて送風し、扱歯支持部材の内側空間内の被処理物を後方移送させるが、扱胴軸の始端側の羽根体は扱胴外周の扱室内の空気を吸引して後方に送風することになって、扱胴始端部の扱胴内空間に却って被処理物を引き込むという課題が生じている。
本願は、湿った穀稈の脱穀作業では扱室内の水分が多くなり、扱胴の外周や扱網あるいは揺動選別棚に付着している付着水滴に塵埃藁屑等が付着して選別性能を著しく低下させるという課題に着目し、扱室内の水分を乾燥除去させる構成を工夫し、扱室を含めた脱穀装置内の乾燥を促進させて脱穀および選別効率・精度を向上させたものである。
【課題を解決するための手段】
【０００５】
請求項１の発明は、走行装置２の上方の一側に脱穀装置３を設け、他側にグレンタンク５を設け、脱穀装置３の扱胴１０の前面よりも前側の扱胴軸２１には後方の扱室１１へ送風する送風ファン２０を設けた脱穀装置としたものである。
請求項２の発明は、送風ファン２０は、扱胴１０にエンジンの回転を伝達する扱胴駆動ギヤボックス２２と扱胴１０の前面との間に設けた脱穀装置としたものである。
請求項３の発明は、送風ファン２０の径は、扱胴１０の外径よりも大きく形成した脱穀装置としたものである。
請求項４の発明は、扱胴送風ファン２０は、少なくとも、前後方向の棒形状に形成されている扱歯支持部材３３に扱歯３４を長さ方向に複数並設し、この扱歯支持部材３３を扱胴軸２１の回転方向に複数並設し、回転方向に複数並設した扱歯支持部材３３の内側に所定空間３５を設け、前記扱歯支持部材３３の内側に回転ドラム３６を設けて構成し、扱胴１０の円錐部３０の先端面に開口部３７を設けた脱穀装置としたものである。
請求項５の発明は、前記回転ドラム３６の外周の所定位置には、側部開口部３９を設けた脱穀装置としたものである。
請求項６の発明は、扱胴１０の回転ドラム３６の前後を貫通する扱胴軸２１に風向ガイド４０を複数並設した脱穀装置としたものである。
請求項７の発明は、回転ドラム３６の複数の側部開口部３９のうちの、一部または全部の側部開口部３９には風向ガイド４５を設けた脱穀装置としたものである。
請求項８の発明は、送風ファン２０の周囲を包囲するファンカバー５５を設け、ファンカバー５５の少なくとも前面部分にはネット２８を設けた脱穀装置としたものである。
【発明の効果】
【０００６】
請求項１の発明では、脱穀装置３の扱胴１０の前面よりも前側の扱胴軸２１には後方の扱室１１へ送風する送風ファン２０を設けているので、送風ファン２０により扱室１１内に送風することができ、扱室１１内への送風により、扱室１１内の後方への送塵効果を向上させるとともに、扱室１１内の乾燥を促進させ、湿った被処理物の脱穀および選別処理を向上させることができる
請求項２の発明では、送風ファン２０は、扱胴１０にエンジンの回転を伝達する扱胴駆動ギヤボックス２２と扱胴１０の前面との間に設けているので、送風ファン２０をコンパクトに配置構成できる。
請求項３の発明では、送風ファン２０の径は、扱胴１０の外径よりも大きく形成しているので、送風ファン２０の送風力を強くでき、扱室１１の内へ風を吹かせやすい。
請求項４の発明では、扱胴１０は、少なくとも、前後方向の棒形状に形成されている扱歯支持部材３３に扱歯３４を長さ方向に複数並設し、この扱歯支持部材３３を扱胴軸２１の回転方向に複数並設し、回転方向に複数並設した扱歯支持部材３３の内側に所定空間３５を設け、前記扱歯支持部材３３の内側に回転ドラム３６を設けて構成し、扱胴１０の円錐部３０の先端面に開口部３７を設けているので、前側の開口部３７から扱胴１０の回転ドラム３６内に送風を取り込み、取り込んだ送風を側部開口部３９から回転ドラム３６の円周方向の扱室１１内に排風させることができ、扱室１１内の乾燥を促進させることができる。
請求項５の発明では、前記回転ドラム３６の外周の所定位置には、側部開口部３９を設けているので、扱胴１０内への風の取込み量を増やし、しかも、扱胴１０内へのワラ屏、粉塵の進入を軽減させる。
請求項６の発明では、扱胴１０の回転ドラム３６の前後を貫通する扱胴軸２１に風向ガイド４０を複数並設しているので、風向ガイド４０は送風ファン２０により扱胴１０の回転ドラム３６内を軸心方向に流れる送風を放射方向に流すように案内でき、扱室１１内の乾燥を促進させることができる。
請求項７の発明では、回転ドラム３６の複数の側部開口部３９のうちの、一部または全部の側部開口部３９には風向ガイド４５を設けているので、回転ドラム３６内を流れる送風を側部開口部３９から排気させる際に、風向ガイド４５により後側に吹き出るように案内すると共に、回転ドラム３６内へのワラ屏、粉塵の進入を軽減させる。
請求項８の発明では、送風ファン２０の周囲を包囲するファンカバー５５を設け、ファンカバー５５の少なくとも前面部分にはネット２８を設けているので、送風ファン２０の吸引効率を向上させることができる。
【図面の簡単な説明】
【０００７】
【図１】コンバインの側面図。
【図２】脱穀装置の側面図。
【図３】送風ファンの取付状態斜視図。
【図４】送風ファンと扱胴との外径比率を説明する側面図。
【図５】同他の実施形態の側面図。
【図６】同他の実施形態の側面図。
【図７】同他の実施形態の側面図。
【図８】送風ファンと開口部との外径比率の他の実施形態を説明する正面図。
【図９】（Ａ）扱胴の斜視図。                （Ｂ）扱胴の一部縦断正面図。
【図１０】扱胴の回転ドラムの側面図。
【図１１】扱胴の回転ドラムの他の実施形態の側面図。
【図１２】扱胴の回転ドラムの他の実施形態の斜視図。
【図１３】扱胴の他の実施形態の一部斜視図。
【図１４】扱胴の他の実施形態の一部斜視図。
【図１５】扱胴の他の実施形態の断面図。
【図１６】扱胴の他の実施形態の断面図。
【図１７】扱胴の他の実施形態の断面図。
【図１８】扱胴の他の実施形態の断面図。
【図１９】扱胴の回転ドラムの他の実施形態の斜視図。
【発明を実施するための形態】
【０００８】
本発明の一実施形態を図面により説明すると、１は機体フレーム、２は機体フレーム１の下部に設けた走行装置、３は機体フレーム１上に設けた脱穀装置、４は刈取装置、５はグレンタンク、６はグレンタンク５の前方の一側に設けた操縦部である（図１）。
なお、理解を容易にするため、前後・左右・上下等の方向を便宜的に使用して説明するが、これらによって、本発明の構成が限定されるものではない。
脱穀装置３は、前側上部には上方を扱胴カバー７で包囲するように扱胴１０を軸装した扱室１１を設け、扱胴１０の主として下方側は扱網１２により包囲して構成している。扱網１２の下方の始端側（前側）には唐箕１３を設け、前記扱室１１の下方には前記唐箕１３の送風により穀粒と異物とを風選し得る風選室を形成し、風選室内には、唐箕１３の送風方向（前後方向）に往復揺動する揺動選別棚１４を設ける（図２）。
【０００９】
揺動選別棚１４の下方所定位置には一番コンベア１５を設け、一番コンベア１５の後側には二番コンベア１６を設ける。一番コンベア１５の終端には、図示は省略するが、揚穀装置の下部を接続し、揚穀装置の上部はグレンタンク（図示省略）の供給口に接続する。
しかして、脱穀装置３の扱胴１０の始端部より手前側には、扱室１１内に送風する送風ファン２０を設ける。送風ファン２０は扱胴１０の扱胴軸２１と同軸に設ける（図１）。
扱胴軸２１の前端部はエンジンの回転が伝達される扱胴駆動ギヤボックス２２に軸装し、扱胴駆動ギヤボックス２２内で駆動回転が伝達される。
脱穀装置３の脱穀フレーム２４に開口部２５を有する前枠２６を設け、前枠２６に取付フレーム２７を介して扱胴駆動ギヤボックス２２を取付け、扱胴駆動ギヤボックス２２と前枠２６の間に送風ファン２０を設ける。２８は開口部２５に設けたネットである。
【００１０】
そのため、エンジンの駆動回転が扱胴駆動ギヤボックス２２に伝達されて、扱胴軸２１と扱胴１０が回転すると、送風ファン２０も回転し、送風ファン２０はネット２８を通して扱室１１内に送風する。
これにより、湿った作物を収穫した際、扱室１１内の水分が多くなり、扱胴１０の外周や扱網１２あるいは揺動選別棚１４の付着水分に塵埃藁屑が付着して選別性能を著しく低下させるが、本発明では送風ファン２０により扱室１１内に送風するので、扱室１１内への送風により、扱室１１内の乾燥を促進させ、湿った被処理物の脱穀および選別処理を向上させられる。
【００１１】
送風ファン２０の径は、扱胴１０の外径よりも小さく形成する（図４）。
そのため、送風ファン２０をコンパクトに形成できる。
送風ファン２０の径は、扱胴１０の外径よりも大きく形成する（図５）。
そのため、送風ファン２０の送風力を強くでき、扱胴１０の外周へ風を吹かせやすい。
送風ファン２０の径は、扱胴１０の先端を台形状に形成した円錐部３０の先端径よりも小さくする（図６）。
そのため、風力効率を向上させる。
また、藁くずの発生度合が少ない条件では、送風ファン２０の径を、扱胴１０の円錐部３０の先端径よりも小さくすることで、扱胴１０の外周への過剰な送風を抑制し、選別精度を高められる。
【００１２】
送風ファン２０の径は、扱胴１０の外径よりも小さく、かつ、円錐部３０の先端径よりも大きく形成する（図７）。
そのため、送風ファン２０のコンパクト化と風力のバランスを図れる。
送風ファン２０の径は、前枠２６の開口部２５の風路径よりも大きく形成する（図８）。
そのため、送風ファン２０の周辺外周から外気を吸引して、扱室１１内に効率よく送風する。
送風ファン２０の径は、前枠２６の開口部２５の風路径よりも小さく形成する。
そのため、送風ファン２０をコンパクトに構成しつつ、扱室１１内への送風を可能にする。
【００１３】
送風ファン２０のハブ部３１の径は、円錐部３０の先端径と略同一とする。
そのため、送風ファン２０の送風は円錐部３０の先端面に当たるのが回避されて、扱室１１への送風の効率化が図れる。
送風ファン２０のハブ部３１の径は、円錐部３０の先端径よりも大径とする。
そのため、円錐部３０の外周部分に重点的に送風することによって、受け網周囲の乾燥促進できる。
扱胴送風ファン２０は、少なくとも、前後方向の棒形状に形成されている扱歯支持部材３３に扱歯３４を長さ方向に複数並設し、この扱歯支持部材３３を扱胴軸２１の回転方向に複数並設し、回転方向に複数並設した扱歯支持部材３３の内側に所定空間３５を設けた構成とし（図９Ａ、Ｂ）、空間３５内にも被処理物が入ることにより、扱室扱室１１内の空間容積を拡大し、脱穀効率を向上させたものである。
【００１４】
そして、扱歯３４を複数設けた扱歯支持部材３３の内側に回転ドラム３６を設け、扱胴１０の剛性を確保している。
扱胴１０の円錐部３０の先端面に開口部３７を設け（図９Ａ）、回転ドラム３６の板面３８には所定間隔をおいて側部開口部３９を複数設け、扱胴１０の前側から扱胴１０内に送風を取り込み、取り込んだ送風を側部開口部３９から円周方向の扱室１１内に排出する。
そのため、脱穀作業時の扱室１１内の扱胴１０周りに作物があることにより、扱室１１の後方への風の通りが悪い場合でも、扱胴１０内を通して扱室１１の中間部から後方にまで送風ファン２０の送風を届けることができ、扱胴１０内および扱室１１内の全体に亘って、風を吹かせることができる。
【００１５】
図１０の回転ドラム３６の実施形態では、複数個の開口部３７を設けた板面３８を前後に同列に配置しているが、図１１の他の実施形態では、前後の板面３８にて開口部３７の位置を相違させている。
また、図１２の他の実施形態では  回転ドラム３６の前後の各板面３８に夫々複数個の側部開口部３９をオフセットさせて配置する。
そのため、扱歯３４がないところの板面３８の側部開口部３９から集中的に風を吹かせることができ、扱胴１０全体の風力バランスを整えることができ、また、回転ドラム３６の強度バランスを向上させられる。
図１３は、扱胴１０の他の実施形態を示し、扱胴１０の円錐部３０の前面および外周面にネット２８を設ける。
そのため、扱室１１内への風の取込み量を増やすことができる。
【００１６】
図１４は、扱胴１０の他の実施形態を示し、扱胴１０は終始同径の筒状に形成し、扱胴１０の前面には開口部３７を設け、開口部３７にはネット２８を設ける。
そのため、構成を簡素化（コストダウン）しつつ、扱胴１０内への風の取込み量を増やし、しかも、扱胴１０内へのワラ屏、粉塵の進入を軽減させる。
図１５に示すように、扱胴１０の前後を貫通する扱胴軸２１に風向ガイド４０を複数並設する。風向ガイド４０は送風ファン２０により扱胴１０内を軸心方向に流れる送風を放射方向（扱胴１０の）円周方向）に流すように案内する。
そのため、扱胴１０内に入った送風を、扱胴１０全体にわたって、円周方向に吹かせることができる。
【００１７】
図１６に示すように、各風向ガイド４０は後側に至るに従い大径となった円錐形状に形成し、複数の風向ガイド４０は、機体後方に至るに従い径を大きくなるように配置する。
そのため、風向ガイド４０は機体後方ほど、送風力を強くし、扱室１１内全体の風力バランスを整えることができる。
図１７は風向ガイド４０を設けた扱胴１０の他の実施形態を示し、風向ガイド４０は扱胴１０内の前半部分のみ設ける。
そのため、被処理物が多い前半部分で被処理物の水分を飛ばし、選別効率を向上させられる。
この場合、図１７では複数の風向ガイド４０を、機体後方に至るに従い径を大きくなるように配置しているが、同径のものでもよい。
【００１８】
図１８は風向ガイド４０を設けた扱胴１０の他の実施形態を示し、風向ガイド４０は扱胴１０内の後半部分のみ設ける。
そのため、被処理物が少ない後半側に吹かせることで、水分を飛ばす効率をあげ、グレンタンク５内への濡れ籾の混入を軽減させることができる。
この場合、図１８では複数の風向ガイド４０を、機体後方に至るに従い径を大きくなるように配置しているが、同径のものでもよい。
回転ドラム３６の複数の側部開口部３９のうちの、一部または全部の側部開口部３９には、風向ガイド４５を設ける（図１９）。風向ガイド４５は側部開口部３９（板面３８）に対して後上がりに傾斜させる。
そのため、回転ドラム３６内を流れる送風は側部開口部３９から風向ガイド４５により案内されて後側に吹き出されると共に、回転ドラム３６内へのワラ屏、粉塵の進入を軽減させる。
【００１９】
しかして、送風ファン２０は、脱穀フレーム２４に設けた前枠２６側に、平面視において左右方向の取付フレームを介して取付ける。
そのため、効率的なスペースで送風ファン２０を扱胴駆動ギヤボックス２２と前枠２６の間に配置できる。
この場合、送風ファン２０を取付ける取付フレームは、平面視において、「コ」の字形状となる一体状の支持フレームに形成し、支持フレームの左右両端を前枠２６に取付けている。
そのため、送風ファン２０の取付けを容易にすると共に、送風ファン２０の支持剛性を向上させられる。
扱胴１０の前面に送風ファン２０の前面および上面を包囲するファンカバー５５を設け、図示は省略するが、ファンカバー５５の上面と前面にはネット２８を設ける。
そのため、吸引効率を向上させられる。
【００２０】
（実施形態の作用）
本発明は上記構成であり、走行装置２により圃場を走行し、刈取装置４により圃場の穀稈を刈り取り、刈り取った穀稈を脱穀装置３の扱室１１に送り、回転する扱胴１０により脱穀処理し、脱穀された被処理物は扱網扱網１２より揺動選別棚１４上に漏下し、揺動選別棚１４により選別処理される。
この場合、湿った作物の収穫では、扱室１１内の水分が多くなり、扱胴１０の外周や扱網１２あるいは揺動選別棚１４の水分に塵埃藁屑が付着して選別性能を著しく低下させるが、本発明では送風ファン２０により扱室１１内に送風するので、扱室１１内への送風により、扱室１１内の乾燥を促進させ、湿った被処理物の脱穀および選別処理を向上させられる。
【００２１】
送風ファン２０は、脱穀装置３の扱胴１０の始端部より手前側に設けられ、扱胴１０の扱胴軸２１に送風ファン２０が設けられているので、送風ファン２０は扱胴軸２１の駆動回転により回転する。
脱穀装置３の脱穀フレーム２４の前側に開口部２５を有する前枠２６を設け、前枠２６に取付フレーム２７を介して扱胴駆動ギヤボックス２２を取付けているので、扱胴駆動ギヤボックス２２と前枠２６の間に送風ファン２０を設けることができ、送風ファン２０をコンパクトに配置構成できる。
この場合、送風ファン２０の径を、扱胴１０の外径よりも小さく形成すると、送風ファン２０をコンパクトに形成できる。
また、送風ファン２０の径を、扱胴１０の外径よりも大きく形成すると、送風ファン２０の送風力を強くでき、扱室１１の内へ風を吹かせやすい。
【００２２】
扱胴送風ファン２０は、少なくとも、前後方向の棒形状に形成されている扱歯支持部材３３に扱歯３４を長さ方向に複数並設し、この扱歯支持部材３３を扱胴軸２１の回転方向に複数並設し、回転方向に複数並設した扱歯支持部材３３の内側に所定空間３５を設けた構成としているので、空間３５内にも被処理物が入ることにより、扱室扱室１１内の空間容積を拡大し、脱穀効率を向上させられる。
扱胴１０は、扱歯３４を複数設けた扱歯支持部材３３の内側に回転ドラム３６を設けているので、扱胴１０の剛性を確保している。
【００２３】
扱胴１０の円錐部３０の先端面に開口部３７を設け、回転ドラム３６の板面３８には所定間隔をおいて側部開口部３９を複数設けているので、扱胴１０の回転ドラム３６の前側の開口部３７から扱胴１０の回転ドラム３６内に送風を取り込み、取り込んだ送風を側部開口部３９から回転ドラム３６の円周方向の扱室１１内に排風する。
したがって、脱穀作業時の扱室１１内の扱胴１０周りに作物があることにより、扱歯支持部材３３と回転ドラム３６の外周との間の空間３５が塞がれて、空間３５を含めた扱室１１の後方への風の通りが悪い場合でも、扱胴１０の回転ドラム３６内を通して扱室１１の中間部から後方にまで送風ファン２０による送風を届けることができ、扱胴１０（扱歯支持部材３３より内側）内および扱室１１内の全体に亘って、風を吹かせることができる。
【００２４】
図１３の扱胴１０の他の実施形態では、扱胴１０の円錐部３０の前面および回転ドラム３６の外周にネット２８を設けているので、扱室１１内への風の取込み量を増やすことができる。
図１４の、扱胴１０の他の実施形態では、扱胴１０を終始同径の筒状に形成し、扱胴１０の前面には前枠２６を設け、前枠２６にはネット２８を設けているので、構成を簡素化（コストダウン）しつつ、扱胴１０内への風の取込み量を増やし、しかも、扱胴１０内へのワラ屏、粉塵の進入を軽減させる。
扱胴１０の回転ドラム３６の前後を貫通する扱胴軸２１に風向ガイド４０を複数並設し、風向ガイド４０は送風ファン２０により扱胴１０の回転ドラム３６内を軸心方向に流れる送風を放射方向（回転ドラム３６の円周方向）に流すように案内するので、扱胴１０内に入った送風を、扱胴１０全体にわたって、円周方向に吹かせることができる。
【００２５】
各風向ガイド４０は後側に至るに従い大径となった円錐形状に形成し、複数の風向ガイド４０は、機体後方に至るに従い径を大きくなるように配置しているので、風向ガイド４０は機体後方ほど、送風力を強くし、扱室１１内全体の風力バランスを整えることができる。
回転ドラム３６の複数の側部開口部３９のうちの、一部または全部の側部開口部３９には風向ガイド４５を設け、風向ガイド４５は側部開口部３９（板面３８）に対して後上がりに傾斜させているので、回転ドラム３６内を流れる送風は側部開口部３９から風向ガイド４５により案内されて後側に吹き出されると共に、回転ドラム３６内へのワラ屏、粉塵の進入を軽減させる。
【００２６】
送風ファン２０は、脱穀フレーム２４に設けた前枠２６に、平面視において左右の取付フレームを介して取付けているので、効率的なスペースで送風ファン２０をギヤボックス扱胴駆動ギヤボックス２２と前枠２６の間に配置できると共に、送風ファン２０の取付けを容易にすると共に、送風ファン２０の支持剛性を向上させられ、送風ファン２０の回転による機体振動発生を抑制する。
【符号の説明】
【００２７】
１…機体フレーム、２…走行装置、３…脱穀装置、４…刈取装置、５…グレンタンク、６…操縦部、７…扱胴カバー、１０…扱胴、１１…扱室、１２…扱網、１３…唐箕、１４…揺動選別棚、１５…一番コンベア、１６…二番コンベア、２０…送風ファン、２１…扱胴軸、２２…扱胴駆動ギヤボックス、２４…脱穀フレーム、２５…開口部、２６…前枠、２７…取付フレーム、２８…ネット、３０…円錐部、３１…ハブ部、３３…扱歯支持部材、３４…扱歯、３５…空間、３６…回転ドラム、３７…開口部、３８…板面、３９…側部開口部、４０…風向ガイド、４５…風向ガイド、５５…ファンカバー。
【要約】      （修正有）【課題】扱室内の水分を乾燥除去し、扱室を含めた脱穀装置内の乾燥を促進させて脱穀および選別効率・精度を向上させた脱穀装置を提供する。【解決手段】走行装置の上方の一側に脱穀装置３を設け、他側にグレンタンクを設け、脱穀装置３の扱胴１０の前面よりも前側の扱胴軸２１には後方の扱室１１へ送風する送風ファン２０を設けた脱穀装置。【選択図】図２【図１】
0006973573.tif 000002
【図２】
0006973573.tif 000003
【図３】
0006973573.tif 000004
【図４】
0006973573.tif 000005
【図５】
0006973573.tif 000006
【図６】
0006973573.tif 000007
【図７】
0006973573.tif 000008
【図８】
0006973573.tif 000009
【図９】
0006973573.tif 000010
【図１０】
0006973573.tif 000011
【図１１】
0006973573.tif 000012
【図１２】
0006973573.tif 000013
【図１３】
0006973573.tif 000014
【図１４】
0006973573.tif 000015
【図１５】
0006973573.tif 000016
【図１６】
0006973573.tif 000017
【図１７】
0006973573.tif 000018
【図１８】
0006973573.tif 000019
【図１９】
0006973573.tif 000020